(57)【要約】【課題】ＲＦタグの誤認識を防止し、検出精度の高めると共に、ＲＦタグを装着した被験者の危険度、自立生活度、社交性を判定する装置を提供する。【解決手段】ＲＦタグと通信を行う複数のループコイルアンテナと、そのうちの１のループコイルアンテナを切り替えて選択するアンテナ切替手段と、選択されたループコイルアンテナがＲＦタグから受信した情報を基にＲＦタグの検出を行う検出手段とを備え、複数のループコイルアンテナの各々にコイル切断スイッチを設け、アンテナ切替手段により切り替えて選択されたループコイルアンテナのコイル切断スイッチを閉にし、それ以外の不使用のループコイルアンテナのコイル切断スイッチを開にした状態でＲＦタグの検出を行う。また、ＲＦタグを装着した被験者の時間と場所の情報、時間と移動体間の距離の相関関係から被験者の危険度、自立生活度、社交性を検出する。【選択図】図１
2014078211.tif 000002
【特許請求の範囲】
【請求項１】
電磁誘導方式によりＲＦタグと通信を行う複数のループコイルアンテナと、
前記複数のループコイルアンテナのうちの１のループコイルアンテナを切り替えて選択するアンテナ切替手段と、
前記アンテナ切替手段により切り替えて選択されたループコイルアンテナがＲＦタグから受信した情報を基にＲＦタグの検出を行う検出手段と、
を備え、前記複数のループコイルアンテナの各々にコイル切断スイッチを設け、前記アンテナ切替手段により切り替えて選択されたループコイルアンテナのコイル切断スイッチを閉にし、それ以外の不使用のループコイルアンテナのコイル切断スイッチを開にした状態でＲＦタグの検出を行うことを特徴とするＲＦタグ検出装置。
【請求項２】
前記アンテナ切替手段が前記複数のループコイルアンテナにおける所定の順番にて時分割で使用アンテナの切替を行う請求項１に記載のＲＦタグ検出装置。
【請求項３】
前記複数のループコイルアンテナの各々が送受信兼用で用いられる請求項１又は２に記載のＲＦタグ検出装置。
【請求項４】
前記複数のループコイルアンテナの各々が、送信用ループコイルアンテナと受信用ループコイルアンテナとを備える請求項１又は２に記載のＲＦタグ検出装置。
【請求項５】
前記ＲＦタグがパッシブ型タグであり、前記複数のループコイルアンテナから給電される請求項１乃至４のいずれか１項に記載のＲＦタグ検出装置。
【請求項６】
前記複数のループコイルアンテナが平面状に並べて配置されて検出ブロックを形成する請求項１乃至５のいずれか１項に記載のＲＦタグ検出装置。
【請求項７】
請求項６に記載のＲＦタグ検出装置を複数備え、それぞれの検出ブロックを平面状に並べて配置して検出ブロック群を形成し、各検出ブロックにおいて行われるアンテナ切替を前記検出ブロック群に含まれる検出ブロック間で同期させるＲＦタグ検出システム。
【請求項８】
各検出ブロック内での使用ループコイルアンテナの相対位置が同一となるように、前記検出ブロック群に含まれる検出ブロック間で同期させてアンテナ切替を行う請求項７に記載のＲＦタグ検出システム。
【請求項９】
複数のループコイルアンテナを備え、前記複数のループコイルアンテナの各々にコイル切断スイッチが設けられたＲＦタグ検出装置によるＲＦタグ検出方法であって、
前記複数のループコイルアンテナのうちの１のループコイルアンテナを切り替えて選択するアンテナ切替ステップと、
前記アンテナ切替ステップにより切り替えて選択されたループコイルアンテナのコイル切断スイッチを閉にし、それ以外の不使用のループコイルアンテナのコイル切断スイッチを開にする開閉ステップと、
切り替えて選択されたループコイルアンテナが電磁誘導方式によりＲＦタグから受信した情報に基づいてＲＦタグの検出を行う検出ステップと、
を含むＲＦタグ検出方法。
【請求項１０】
複数のループコイルアンテナを備え、前記複数のループコイルアンテナの各々にコイル切断スイッチが設けられたＲＦタグ検出装置によるＲＦタグ検出プログラムであって、
コンピュータに
前記複数のループコイルアンテナのうちの１のループコイルアンテナを切り替えて選択するアンテナ切替機能と、
前記アンテナ切替機能により切り替えて選択されたループコイルアンテナのコイル切断スイッチを閉にし、それ以外の不使用のループコイルアンテナのコイル切断スイッチを開にする開閉機能と、
切り替えて選択されたループコイルアンテナが電磁誘導方式によりＲＦタグから受信した情報に基づいてＲＦタグの検出を行う検出機能と、
を実現させるＲＦタグ検出プログラム。
【請求項１１】
請求項１乃至６のいずれか１項に記載のＲＦタグ検出装置又は請求項７若しくは８に記載のＲＦタグ検出システムを備え、ＲＦタグ検出装置を用いて、ＲＦタグを装着した被験者の位置する場所と時間を特定し、特定した場所と時間の情報から所定の判定基準に基づいて被験者の自立生活度又は危険度を検出する監視システム。
【請求項１２】
請求項９に記載のＲＦタグ検出方法を用いて、ＲＦタグを装着した被験者の位置する場所と時間を特定し、特定した場所と時間の情報から所定の判定基準に基づいて被験者の自立生活度又は危険度を検出する監視方法。
【請求項１３】
コンピュータに、請求項１０に記載のＲＦタグ検出プログラムを実行させると共に、ＲＦタグを装着した被験者の位置する場所と時間を特定し、特定した場所と時間の情報から所定の判定基準に基づいて被験者の自立生活度又は危険度を検出する機能を実現させる監視プログラム。
【請求項１４】
請求項１乃至６のいずれか１項に記載のＲＦタグ検出装置又は請求項７若しくは８に記載のＲＦタグ検出システムを備え、ＲＦタグ検出装置を用いて、ＲＦタグを装着した被験者のうち対象の被験者とそれ以外の各被験者との距離及び時間の情報を取得し、取得した距離と時間の情報から所定の判定基準に基づいて対象被験者の社交性を判定する監視システム。
【請求項１５】
請求項９に記載のＲＦタグ検出方法を用いて、ＲＦタグを装着した被験者のうち対象の被験者とそれ以外の各被験者との距離及び時間の情報を取得し、取得した距離と時間の情報から所定の判定基準に基づいて対象被験者の社交性を判定する監視方法。
【請求項１６】
コンピュータに、請求項１０に記載のＲＦタグ検出プログラムを実行させると共に、ＲＦタグを装着した被験者のうち対象の被験者とそれ以外の各被験者との距離及び時間の情報を取得し、取得した距離と時間の情報から所定の判定基準に基づいて対象被験者の社交性を判定する機能を実現させる監視プログラム。
【発明の詳細な説明】
【技術分野】
【０００１】
本発明は、ＲＦ(Radio Frequency)タグの検出装置、検出システム及び検出方法に係り、特に、検出対象となる人や動物などの生体や、商品などの物体に取り付けて、検出対象者等の位置を検出する検出装置、検出システム及び検出方法に関する。本発明はまた、監視対象者の位置情報と時間情報から、監視対象者の危険度、社交性、および自立生活度を評価するシステムに関する。
【背景技術】
【０００２】
ＲＦタグとループコイルアンテナとを利用して検出対象者の位置を検出する技術がある。例えば、特許文献１には、位置情報を持つＲＦタグをインフラ側に設置し、検出対象者側にリーダ／ライタを取り付けることで、リーダ／ライタが読み取ったＲＦタグのＩＤおよび、読み取った時間から検出対象者の行動を追跡する技術が記載されている。
【０００３】
さらに、特許文献２には、位置情報を持つリーダ／ライタをインフラ側に複数設置し、検出対象者にＲＦタグを取り付けて、リーダ／ライタの位置情報とリーダ／ライタが読み取ったＲＦタグのＩＤをネットワークを介して収集して、検出対象者の行動を追跡する技術が記載されている。
【０００４】
さらに、特許文献３には、ＲＦタグの検出におけるアンテナ間の干渉を回避する方法が記載されている。この方法では、排他的な制御で任意のアンテナだけが受信する手段によってアンテナ間の干渉を回避する。
【０００５】
さらに、特許文献４には、ＲＦタグの検出によって任意の移動体を追跡する方法が記載されている。特許文献５には、赤外線カメラにより痴呆性老人等の移動体を追跡する方法が記載されている。
【先行技術文献】
【特許文献】
【０００６】
【特許文献１】特開２００１−１８３４５５号公報
【特許文献２】特開２００４−２７１３７２号公報
【特許文献３】特開２００６−２２２５８８号公報
【特許文献４】特開２００５−８３７８１号公報
【特許文献５】特開平１１−１５４２９３号公報
【発明の概要】
【発明が解決しようとする課題】
【０００７】
（第一の問題点）
特許文献１に記載された技術では、位置情報を持つＲＦタグをインフラ側に設置し、位置情報を検出するリーダ／ライタを検出対象者側に取り付けるため、検出対象者が身障者、高齢者の場合に、検出対象者に掛かる負荷とメンテナンスに課題がある。また、検出対象者毎にリーダ／ライタを取り付ける点において、設備費用面で課題がある。特許文献５に記載された赤外線センサによる移動体の検出システムに於いても、高齢者や障害者に対して赤外線発光装置及び送受のための電池を取り付ける必要があるため、同様の課題がある。
【０００８】
（第２の問題点）
特許文献２、および特許文献４に記載された技術では、位置情報を持つリーダ／ライタをインフラ側に複数設置するので、ネットワークに接続されるリーダ／ライタの数が多いことから、設備費用面において課題がある。
【０００９】
（第３の問題点）
特許文献３に記載されたアンテナ干渉回避方法では、電磁誘導方式で通信をおこなうループコイルアンテナを時分割で切り替えて使用する。しかし、使用状態にないループコイルアンテナも、常にコイル特性を維持する。このため、時分割にて発信動作を切り替えても、発信状態にあるループコイルアンテナから放出される磁界が、発信状態にないループコイルアンテナに影響を与えて磁界を誘発し、その磁界によってＲＦタグを検出してしまうことがあった。これは、ＲＦタグの発信電波が、発信状態にないループコイルアンテナの磁界を経由して発信状態にあるループコイルアンテナに伝送されるために起こる。このように、発信状態の時間帯にあるループコイルアンテナが、その検出エリア外にあるＲＦタグを、恰も検出エリア内にあるかのように誤って認識し記録してしまうという課題があった。
【００１０】
例えば図１６に図示されているように、＃１〜＃１６のループコイルアンテナ２０を４個ずつ４列に並べて配置した検出システムにおいて、＃７のアンテナ２０だけがリーダ／ライタ４０に接続され発信状態にあるとする。発信状態にあるアンテナ＃７が生成する磁界１４の影響によって、その周囲のループコイルアンテナ＃２、＃３、＃４、＃６、＃８、＃１０、＃１１、＃１２にも磁界が発生する。今、アンテナ＃１０の近傍に検出対象者６０が位置していると、検出対象者に取り付けられたＲＦタグが、アンテナ＃１０の磁界に反応して信号を発信する。そのＲＦタグの発信信号が、アンテナ＃１０を経由して、或いは直接にアンテナ＃７に伝送され、アンテナ＃７にてＲＦタグの存在を検出する。このようにして、アンテナ＃１０の近傍に位置していた検出対象者のＲＦタグが、アンテナ＃７の位置で検出されたとして誤認識される。
【００１１】
（第４の問題点）
特許文献５に記載された赤外線センサによる移動体の検出システムは、赤外線カメラをインフラに多数設置し、任意の移動体に取り付けられた子機とポーリング方式による問い合わせを行っている。被験者である痴呆性老人の徘徊を監視するには有効だが、停滞時間、停滞場所の監視を行なっていないため、被験者を保護する上で、被験者の危険度の検出方法としては不十分である。
【００１２】
（第５の問題点）
特許文献１〜５に記載される移動体の検出方法では、被験者間、または被験者と介護者とのコミュニケーションがどれだけ図れているか、即ち社交性を判定することができない。
【００１３】
［発明の目的］
したがって、本発明の目的は上記課題を解消し、ＲＦタグの誤認識を防止して検出精度の高いＲＦタグ検出装置、システム及び方法を提供することにある。別の目的は、これらの装置、システム又は方法を利用して、ＲＦタグを装着した被験者の危険度、自立生活度、社交性を判定する装置及び方法を提供することにある。
【課題を解決するための手段】
【００１４】
上記目的を達成するために、本発明の検出装置は、電磁誘導方式によりＲＦタグと通信を行う複数のループコイルアンテナと、前記複数のＲＦタグのうちの１のループコイルアンテナを切り替えて選択するアンテナ切替手段と、前記アンテナ切替手段により切り替えて選択されたループコイルアンテナがＲＦタグから受信した情報を基にＲＦタグの検出を行う検出手段とを備え、前記複数のループコイルアンテナの各々にコイル切断スイッチを設け、前記アンテナ切替手段により切り替えて選択されたループコイルアンテナのコイル切断スイッチを閉にし、それ以外の不使用のループコイルアンテナのコイル切断スイッチを開にした状態でＲＦタグの検出を行う。
【００１５】
また、本発明の検出システムは、上記のＲＦタグ検出装置を複数備え、それぞれの検出ブロックを平面状に並べて配置して検出ブロック群を形成し、各検出ブロックにおいて行われるアンテナ切替を前記検出ブロック群に含まれる検出ブロック間で同期させる。
【００１６】
また、本発明の検出方法は、複数のループコイルアンテナを備え、前記複数のループコイルアンテナの各々にコイル切断スイッチが設けられたＲＦタグ検出装置によるＲＦタグ検出方法であって、前記複数のループコイルアンテナのうちの１のループコイルアンテナを切り替えて選択するアンテナ切替ステップと、前記アンテナ切替ステップにより切り替えて選択されたループコイルアンテナのコイル切断スイッチを閉にし、それ以外の不使用のループコイルアンテナのコイル切断スイッチを開にする開閉ステップと、切り替えて選択されたループコイルアンテナが電磁誘導方式によりＲＦタグから受信した情報に基づいてＲＦタグの検出を行う検出ステップとを含む。
【００１７】
また、本発明の検出プログラムは、複数のループコイルアンテナを備え、前記複数のループコイルアンテナの各々にコイル切断スイッチが設けられたＲＦタグ検出装置によるＲＦタグ検出プログラムであって、コンピュータに、前記複数のループコイルアンテナのうちの１のループコイルアンテナを切り替えて選択するアンテナ切替機能と、前記アンテナ切替機能により切り替えて選択されたループコイルアンテナのコイル切断スイッチを閉にし、それ以外の不使用のループコイルアンテナのコイル切断スイッチを開にする開閉機能と、切り替えて選択されたループコイルアンテナが電磁誘導方式によりＲＦタグから受信した情報に基づいてＲＦタグの検出を行う検出機能とを実現させる。
【００１８】
また、本発明の監視システムは、上記のＲＦ検出装置又はＲＦ検出システムを備え、ＲＦタグ検出装置を用いて、ＲＦタグを装着した被験者の位置する場所と時間を特定し、特定した場所と時間の情報から所定の判定基準に基づいて被験者の自立生活度又は危険度を検出する。
【００１９】
また、本発明の監視方法は、上記のＲＦタグ検出方法を用いて、ＲＦタグを装着した被験者の位置する場所と時間を特定し、特定した場所と時間の情報から所定の判定基準に基づいて被験者の自立生活度又は危険度を検出する。
【００２０】
また、本発明の監視プログラムは、コンピュータに、上記のＲＦタグ検出プログラムを実行させると共に、ＲＦタグを装着した被験者の位置する場所と時間を特定し、特定した場所と時間の情報から所定の判定基準に基づいて被験者の自立生活度又は危険度を検出する機能を実現させる。
【００２１】
また、本発明の監視システムは、上記のＲＦタグ検出装置又はＲＦタグ検出システムを備え、ＲＦタグ検出装置を用いて、ＲＦタグを装着した被験者のうち対象の被験者とそれ以外の各被験者との距離及び時間の情報を取得し、取得した距離と時間の情報から所定の判定基準に基づいて対象被験者の社交性を判定する。
【００２２】
また、本発明の監視方法は、上記のＲＦタグ検出方法を用いて、ＲＦタグを装着した被験者のうち対象の被験者とそれ以外の各被験者との距離及び時間の情報を取得し、取得した距離と時間の情報から所定の判定基準に基づいて対象被験者の社交性を判定する。
【００２３】
また、本発明の監視プログラムは、コンピュータに、上記のＲＦタグ検出プログラムを実行させると共に、ＲＦタグを装着した被験者のうち対象の被験者とそれ以外の各被験者との距離及び時間の情報を取得し、取得した距離と時間の情報から所定の判定基準に基づいて対象被験者の社交性を判定する機能を実現させる。
【発明の効果】
【００２４】
本発明の上記検出装置、検出システム、検出方法及び検出プログラムの構成により、ＲＦタグの誤認識を防止して高い検出精度を実現でき、上記監視システム、監視方法及び監視プログラムの構成により、ＲＦタグを装着した被験者の危険度、自立生活度又は社交性を判定することができる。
【図面の簡単な説明】
【００２５】
【図１】本発明のＲＦタグ検出装置のブロック図である。
【図２】ループコイルアンテナの配置例（１検出ブロック分）を示す。
【図３】ループコイルアンテナの配置例（１検出セル分）を示す。
【図４】ＲＦタグの取付け例を示す。
【図５】ループコイルアンテナによるＲＦタグの検出形態を示す。
【図６】検出ブロック構成のループコイルアンテナによるＲＦタグの検出形態を示す。
【図７】ループコイルアンテナの配置例（９検出ブロック分）を示す。
【図８】ブロック間での同期切替を模式的に示す。
【図９】ブロック間での同期切替を模式的に示す。
【図１０】本発明のＲＦタグ検出装置を利用した監視システムを示す。
【図１１】危険度設定パラメータの表である。
【図１２】社交性設定パラメータの表である。
【図１３】自立生活度設定パラメータの表である。
【図１４】イベントドリブン方式のタイムログの例を示す。
【図１５】デイリー方式のタイムログの例を示す。
【図１６】電磁誘導方式にて生じるアンテナ間干渉の説明図である。
【図１７】対象被験者と他の被験者との相関関係を示す。
【図１８】対象被験者と他の被験者との距離と時間の関係を示す。
【図１９】対象被験者と他の被験者との距離の重み付けを示す。
【図２０】時間の重み付けを示す。
【図２１】対象被験者と他の被験者との相関関係を示す。
【図２２】面積（時間×距離）の重み付けを示す。
【図２３】被験者間の経験値を示す。
【図２４】社交性の算出一例を示す。
【発明を実施するための形態】
【００２６】
以下、本発明の実施の形態について図面を参照しながら詳細に説明する。
【００２７】
１．第１の実施形態
［構成の説明］
図１は本発明のＲＦタグ検出装置１００の構成を示すブロック図である。本発明のＲＦタグ検出装置１００は、１６個のループコイルアンテナ２０（＃１〜＃１６）と、アンテナ切替スイッチ３０と、コントローラ４０とを備える。ループコイルアンテナ２０の個数は、１６に限定されるものではなく、任意に設定可能である。ループコイルアンテナ２０は、アンテナ切替スイッチ３０を介してコントローラ４０に接続される。
【００２８】
ループコイルアンテナ２０は、各々、コイル状のアンテナであり、電磁誘導方式にてＲＦタグと通信を行ってその存在を検出する。電磁誘導方式とは、送信側と受信側との間で発生する誘導磁界を利用して信号を送る方式である。電磁誘導方式は、電波方式とは異なり、非常に狭い範囲でも正確な位置情報が得られるという特徴がある。各ループコイルアンテナ２０は、送受信兼用のアンテナとしてもよいし、送信用と受信用に別々のアンテナを設けてもよい。各ループコイルアンテナ２０には、アンテナのコイル部を切断／接続するコイル切断スイッチ５０が設けられている。コイル切断スイッチ５０は例えばリレーにより構成してもよい。
【００２９】
アンテナ切替スイッチ３０は、１６個のループコイルアンテナ２０のうち検出に使用する１のループコイルアンテナ２０をコントローラ４０に接続する。アンテナ切替はコントローラ４０により制御してもよい。
【００３０】
コントローラ４０（「リーダライタ」ともいう）は、アンテナ切替制御部１１０と、コイル切断制御部１２０と、発信器／受信器１３０と、コントローラ制御部１４０と、ＲＦタグ検出部１５０と、記憶部１６０と、通信部１７０とを備える。アンテナ切替制御部１１０は、コントローラ４０に接続されるループコイルアンテナ２０を、指定したループコイルアンテナ２０に切替えるようにアンテナ切替スイッチ３０に指示する。
【００３１】
コイル切断制御部１２０は、ループコイルアンテナ２０のコイル部に設けられたコイル切断スイッチ５０の開閉を個別に制御する。コイル切断スイッチ５０が「開」の状態では、ループコイルアンテナ２０のコイル部の接続が切断され、コイル部の電磁誘導特性が失われる。したがって、そのコイル部を通る磁界が変化したとしても誘導磁界が発生しない。
【００３２】
発信器／受信器１３０は、アンテナ切替スイッチ３０により切り替えて選択されたループコイルアンテナ２０に接続される。ループコイルアンテナ２０が送受信兼用の場合には、例えば時分割にて発信器及び受信器をループコイルアンテナ２０に接続して発信及び受信を行う。ループコイルアンテナ２０が送信用アンテナと受信用アンテナとから構成されている場合には、発信器を送信用アンテナに、受信器を受信用アンテナに接続する。
【００３３】
ＲＦタグ検出部１５０は、発信器／受信器１３０が受信した信号からＲＦタグの識別情報を読み出す。コントローラ制御部１４０は、アンテナ切替制御部１１０、コイル切断制御部１２０、及び発信器／受信器１３０の動作を制御する。記憶部１６０は、コントローラ制御部１４０において実行される制御プログラム、設定パラメータ、検出結果などを記憶する。通信部１７０は、他機器とのデータの通信を行う。
【００３４】
図２に示すように、１６個のループコイルアンテナ２０（＃１〜＃１６）を平面状に並べて配置して検出ブロック３００を形成する。図２では、４行×４列に並べられている（但し、コイル切断スイッチ５０は図示せず）。１つのループコイルアンテナ２０が１つの検出セル２００を形成する（図３）。図２では、１６個の検出セル２００が１つの検出ブロック３００を形成している。１検出セルは、例えば２５ｃｍ×２５ｃｍの大きさであり、１検出ブロックは、例えば１ｍ×１ｍの大きさである。
【００３５】
図３は、検出セルを模式的に示し、図３（ａ）は、ループコイルアンテナ２０が送受信兼用の場合の検出セルを示し、図３（ｂ）は、ループコイルアンテナ２０が送信用と受信用の夫々のアンテナを備えた場合の検出セルを示す。
【００３６】
図４と図５は、検出対象者６０にＲＦタグ１０を取り付けた図である。図４は、頭上から見たＲＦタグ装着透視図である。図５は、側方から見たＲＦタグ１０の装着側面図である。図５の右側の検出対象者６２は、素足に、認識ＩＤデータを具備したＲＦタグ１０が取り付けられている。図５の左側の検出対象者６４は、スリッパ１２の裏に認識ＩＤデータを具備したＲＦタグ１０が取り付けられている。ＲＦタグ１０は、パッシブタイプであっても、アクティブタイプであってもよい。
【００３７】
図５はまた、ループコイルアンテナ２０を設置したフロアマット４００の構造を示す。ループコイルアンテナ２０は、磁性シート２４に包まれ、フロアマット４００に収容される。フロアマットの表面は、フロアマット表面繊維２２で構成され、裏面はフロアマット裏面繊維２６で構成される。
【００３８】
図５の右側の検出対象者６２の場合、ループコイルアンテナ２０は、時分割制御でコイル切断スイッチ５０がＯＮ（閉）の状態で且つ発信動作状態にある。よって、ループコイルアンテナ２０から放出した磁界１４に対して、ＲＦタグ１０が交信を行う。一方、図５の左側の検出対象者６４の場合、ループコイルアンテナ２０は、コイル切断スイッチ５０がＯＦＦ（開）で且つ発信停止状態にある。よって、コイル切断スイッチ５０によりアンテナのコイル部が切断されているのでループコイルアンテナ２０は、コイル特性を持たなくなるため、発信動作状態のループコイルアンテナ２０から放出される磁界１４の影響を受けない。
【００３９】
図６は、１６本のループコイルアンテナ２０（＃１〜＃１６）を平面状に並べて配置して検出ブロック３００を構成している場合におけるＲＦタグ１０の検出形態を示す。検出対象者６０及び検出対象者７０には、図４と同様にＲＦタグ１０が足の裏に取り付けられている。
【００４０】
本実施形態では、図５の断面構造を有するフロアマット４００が１つの検出ブロック３００から成る。１６本のループコイルアンテナ２０（以下、単に「アンテナ＃１〜＃１６」と記す場合もある）を時分割で排他的に発信動作させる。
【００４１】
図６では、アンテナ＃７が発信動作を行っており、その他のアンテナは発信動作を行っていない。このとき、アンテナ＃７のコイル切断スイッチ５０は「閉」状態にあり、その他のアンテナのコイル切断スイッチ５０は「開」状態にある。発信動作を行っているアンテナ＃７は、電磁誘導方式により磁界１４を放出して近傍界にある検出対象者６０の足の裏に取り付けられたＲＦタグ１０と非接触で交信を行う。
【００４２】
同時間帯のアンテナ＃７以外のアンテナは、コイル切断スイッチ５０によってコイルの一部が切断されてコイル機能を持たないため、アンテナ＃７が発生した磁界１４の影響を受けることは無い。
【００４３】
上記と同様な動作によって、検出対象者７０に設置されたＲＦタグは、アンテナ＃４が発信動作状態の時にだけ非接触で交信を行う。
【００４４】
［動作の説明］
次に、図１に示す構成を有するＲＦタグ検出装置の動作を説明する。
【００４５】
（１）アンテナ切り替え
コントローラ（「リーダライタ」ともいう）４０のアンテナ切替制御部１１０が、アンテナ切替スイッチ３０を制御して、時分割で排他的にループコイルアンテナ２０を順に発信動作状態にしていく。例えば、ループコイルアンテナ＃７（図６参照）がアンテナ切替スイッチ３０の制御で発信動作状態に選択された場合、アンテナ＃７のコイル切断スイッチ５０がＯＮ状態（「閉」状態、すなわちリレー接点をショート）となり、磁界１４を放出する。アンテナ＃７が発信動作状態のとき、アンテナ＃７上に位置する検出対象者６０に設置されたＲＦタグ１０はアンテナ＃７と交信する。同様にアンテナ＃４が発信状態となった時、アンテナ＃４上に検出対象者７０が位置していた場合は、検出対象者７０に取り付けられたＲＦタグ１０とアンテナ＃４が交信する。
【００４６】
アンテナ切替の順番は任意に設定できる。例えば、アンテナ＃１から順に＃２，＃３，・・・，＃１６まで切り替えていき、アンテナ＃１６まできたら、再度＃１から開始する順としてもよい。
【００４７】
（２）データの取り込み
発信状態にてＲＦタグと交信したループコイルアンテナは、読み込んだＲＦタグのＩＤと、必要に応じて自身のアンテナＩＤとをリーダライタ４０に送信する。
【００４８】
データを取り込んだリーダライタ４０は、受信時間をタイムスタンプとして、ＲＦタグのＩＤとアンテナＩＤとを記憶部１６０に記憶する。場合によっては、取り込んだＲＦタグのＩＤ、アンテナＩＤ、タイムスタンプなどを通信部１７０を介して他の機器に送信する。
【００４９】
２．第２の実施形態
次に、図７〜図９を参照して本発明の第２の実施形態について説明する。
【００５０】
第２の実施形態では、図７に示すように、第１の実施形態の検出ブロック（図２参照）を平面状に９個並べて配置してフロアマット４００を構成する。図７では、検出ブロック３００（＃１，…，＃９）を３行３列に並べている。なお、検出ブロックの個数は９個に限定されるものではなく、任意に設定できる。各検出ブロック３００は１６個の検出セル２００（＃１，…，＃１６）から構成されている。なお、図７では、各検出セル２００におけるコイル切断スイッチ５０は、図示していない。１つの検出ブロック３００につき、１つのリーダライタ４０（図示せず）が設けられる。
【００５１】
第２の実施形態に用いられるリーダライタ４０は、図１に示される第１の実施形態のリーダライタ４０と同じでよい。
【００５２】
図８と図９は、検出ブロック間での同期切替を模式的に示す。各検出ブロック３００においては、夫々のリーダライタ４０に接続するループコイルアンテナ２０を順に切り替えていくが、その切替を、すべての検出ブロック（＃１，…，＃９）において同期させる。すなわち、すべての検出ブロック（＃１，…，＃９）において同一時刻にアンテナ切替動作が行われるようにする。
【００５３】
例えば、図８（ａ）では、すべての検出ブロック＃１〜＃９において、アンテナ＃４が選択され（時刻００ｍｓｅｃ）、その１０ミリ秒後の図８（ｂ）では、すべての検出ブロック＃１〜＃９において、アンテナ＃３が選択され（時刻１０ｍｓｅｃ）、その１０ミリ秒後の図８（ｃ）では、すべての検出ブロック＃１〜＃９において、アンテナ＃２が選択され（時刻２０ｍｓｅｃ）、その１０ミリ秒後の図８（ｄ）では、すべての検出ブロック＃１〜＃９において、アンテナ＃１が選択され（時刻３０ｍｓｅｃ）、その１０ミリ秒後の図８（ｅ）では、すべての検出ブロック＃１〜＃９において、アンテナ＃５が選択され（時刻４０ｍｓｅｃ）、以下同様の操作が図８（ｐ）まで繰り返される。なお、すべての検出ブロックではなく、所定の検出ブロックの組において、同期切替を行ってもよい。
【００５４】
検出ブロック間での同期切替においては、各検出ブロック（＃１，…，＃９）において選択されるアンテナの相対位置が、すべての検出ブロック（＃１，…，＃９）において同じになるようにしてもよい。例えば、図８（ａ）では、すべての検出ブロック（＃１，…，＃９）において、検出ブロックの右上に位置する＃４のループコイルアンテナが選択され、その１０ミリ秒後の図８（ｂ）では、すべての検出ブロック＃１〜＃９において、検出ブロックの＃４の一つ左に位置するアンテナ＃３が選択されている。選択されるアンテナの検出ブロック内での相対位置が同一なので、選択されたアンテナ間の間隔は一定に保たれている。したがって、フロアマット４００の全体にわたり均一な検出精度が実現できる。
【００５５】
なお、図８と図９において、円４１０は、その中心にあるループコイルアンテナに関し、アンテナ間干渉が起きない距離を示し、円４２０はＲＦタグのＩＤを認識したポイントを示し、ループコイルアンテナ２０は、コントローラ４０の発信器／受信器１３０に接続されているアンテナを示す。
【００５６】
３．第３の実施形態
次に、図１０〜図１５及び図１７〜図２４を参照して本発明の第３の実施形態について説明する。
【００５７】
図１０は、第１の実施形態のＲＦタグ検出装置や第２の実施形態のＲＦ検出システムを利用した監視システム５００を示す。この第３の実施形態の監視システム５００は、ＲＦタグ検出装置又はシステムを備える点で、第１の実施形態や第２の実施形態と同じであるが、評価システム６００を備える点で相違している。
【００５８】
評価システム６００は、タイムログ保存部５１０、ロケーションデータ管理部５２０、パラメータ設定部５３０、及びデータ処理部５４０を備える。
【００５９】
次に、図１０の監視システムの動作を説明する。なお、アンテナ切り替えは、第１の実施形態と同じであるから説明を割愛する。
【００６０】
（１）データの取り込み
発信状態にてＲＦタグと交信したループコイルアンテナは、読み込んだＲＦタグのＩＤと、必要に応じて自身のアンテナＩＤとをリーダライタ４０に送信する。データを取り込んだリーダライタ４０は、受信時間をタイムスタンプとしたタイムログを、ネットワークを介して評価システム６００のタイムログ保存部５１０に転送する。
【００６１】
（２）ロケーションデータの作成
サービス提供者（プロバイダ）５６０は、サービス運用前に端末５５０を用いてロケーションデータを作成し、ロケーションデータ管理部５２０に送る。ロケーションデータは、監視対象者６０および監視対象者７０が生活する空間座標とアンテナ番号の紐つけを管理したもので、例えばアンテナ＃７は食堂、アンテナ＃９はトイレと言った設定を行うものである。
【００６２】
（３）パラメータ設定
本発明の監視システム５００がサービス提供する監視対象者の「社交性」、「危険度」、「自立生活度」を評価するためのパラメータ（「判定基準」ともいう）を、パラメータ設定部５３０にて設定する。この設定は、サービス提供者５６０又はその顧客であるクライアント５７０がネットワークを介して行う。以下、各パラメータについて説明する。
【００６３】
（４）危険度設定パラメータ
図１１に危険度パラメータの一例を示す。「危険要因」にロケーション情報、「閾値」にロケーション毎の停留時間、「危険度」にロケーション毎の危険度レベルを設定する。例えば、図１１の例では、バスに１時間を超えて入っていれば危険度「Ａ」であり、トイレに２０分を超えて入っていれば危険度「Ｂ」であり、ベッドに１０時間を超えて入っていれば危険度「Ｃ」である。設定に関しては、プロバイダ５６０、またはクライアント５７０が行う。
【００６４】
（５）社交性設定パラメータ
図１２に社交性設定パラメータの一例を示す。本パラメータ設定では、監視対象の第一被監視者と監視対象外の第二被監視者との位置関係、接触時間のパラメータを設定する。例えば、図１２の例では、他者と１０ｍ以内に接近すると、一人当たり１０点が与えられ、他者との距離が５ｍ以内に接近すれば、１０分当たり５点が与えられる。設定に関しては、プロバイダ５６０、またはクライアント５７０が行う。
【００６５】
図１７は、監視対象となる第一被監視者（対象被験者ともいう。）と、監視対象外の第二被監視者（他の被験者ともいう。ここでは、被験者１、被験者２、被験者３、被験者４などと記す。）との距離の測定例を示す。８時３０分０秒（ｔ０）から８時３２分３０秒（ｔｎ）まで５秒間隔で測定している。図１７には、対象被験者と他の各被験者との距離の重み付けにより得られるスコア、経過時間の重み付けにより得られるスコア、及びこれらのスコアから得られる面積のスコアも示されている。対象被験者と他の各被験者との距離と測定時の時間（時刻）との関係をグラフ化したものを図１８に示す。
【００６６】
図１９は、社交性の設定パラメータとして、距離に関する重み付けの一例を示す。例えば、距離が２ｍ以内の場合には距離のスコアを１０点とする。距離が遠くなるほど、重み付けを小さく設定する。
【００６７】
図２０は、社交性の設定パラメータとして時間の重み付けの一例を示す。例えば、５秒間同じ距離を維持した場合、又は距離の重み付けに変化がない場合に時間のスコアとして１点が課せられる。即ち距離が２ｍ以内でも、最低５秒間まで同じ距離を維持しなければ、時間のスコアは０点となる。
【００６８】
図２１は、図１７に示す対象被験者と他の各被験者１〜４との距離の重み付けにより得られる各スコアと時間の関係を、被験者別にグラフ化したものである。時間の重み付けにより得られるスコアと、距離の重み付けにより得られるスコアとを積算した値が社交性を示す。例えば、被験者１に対する対象被験者の社交性はＳ１（矩形部分の面積）で表される。被験者２に対する対象被験者の社交性はＳ２で表される。被験者３に対する対象被験者の社交性は被験者２と共有したＳ２（同時間×同距離）とＳ３の和で表される。面積Sは時間のスコアと距離のスコアの積により得られるが、図２２に示すように、面積Sを重み付けしてもよい。また、図２３に示すように、面積Sの総計値に基づいて被験者間の「経験値」を設定してもよい。経験値は面積に対する重み付け係数である。
【００６９】
以上の述べたように、距離の重み付け、時間の重み付け、面積（時間×距離）の重み付けの諸条件を判定基準として使用できる。
【００７０】
図２４は、図２３に示す経験値をパラメータとして考慮した対象被験者の社交性を示す指標であるスコアの算出例を示す。
【００７１】
（６）自立生活度設定パラメータ
図１３に自立生活度設定パラメータの一例を示す。自立生活度を図る要因となるアイテムとアイテム毎の重みつけを設定する。例えば、図１３の例では、食事は１回当たり１０点が与えられ、トイレ（排泄）は１回当たり３点が与えられ、バス（入浴）は１回当たり５点が与えられ、睡眠は１時間当たり３点が与えられ、移動は５ｍ当たり１点が与えられ、介護は１回当たり−５点減算される。設定に関しては、プロバイダ５６０、またはクライアント５７０が行う。
【００７２】
（７）サービスの提供
前述の通り、リーダライタ４０がネットワークを介して評価システム６００のタイムログ保存部５１０にデータを転送する。一方、前述の通り、プロバイダ５６０が端末５５０を用いて作成したロケーションデータを、ネットワークを介してロケーションデータ管理部に送って管理運用する。また、前述の通り、プロバイダ５６０又はクライアント５７０が作成したパラメータ群を、ネットワークを介してパラメータ設定部５３０に送り管理運用する。
【００７３】
評価システム６００のデータ処理部５４０は、例えばアプリケーションソフトを実行させることにより、タイムログ保存部５１０に保存されている被監視者の場所情報及び時間情報と、ロケーションデータ管理部５２０に記憶されたロケーションデータと、パラメータ設定部５３０により設定された諸パラメータとに基づいて、被監視者の危険度、社交性及び自立生活度を評価する。ここで、例えば被監視者の位置情報は、被監視者に取り付けられたＲＦタグの固有ＩＤと、検出に用いたループコイルアンテナの固有ＩＤとの組合せが用いられる。また、時間情報は、ループコイルアンテナがＲＦタグを検出した時にリーダライタに送信した時刻が用いられ、通信ログ履歴によって得ることができる。評価システム６００の評価結果は、ネットワークを介してクライアント５７０の端末５８０に送り、そのメモリに記録すると共に表示部に表示してもよい。
【００７４】
評価システム６００の評価結果の例を図１４と図１５に示す。図１４は、イベントドリブンでリアルタイムにログ出力されるタイムログ例を示す。図１５は、デイリーで出力するタイムログ例を示す。図１４のタイムログ例の「食堂」、「自室居間」などの場所と、図１５のタイムログ例の「食事」、「バス」、「トイレ」の場所は、リーダライタ４０が付与するアンテナＩＤと、ロケーションデータに記載されたアンテナＩＤと位置情報との対応関係によって定義される。
【００７５】
図１４のタイムログ例において、「場所」は図６で設定したロケーション情報によって定義され、同一の「場所」での停留時間が図６で設定した「閾値」を超えた場合、図１０データ処理部５４０（又はアプリケーションソフト）は、ネットワークを介して、クライアント５７０が具備する端末５８０に警告を行う。
【００７６】
本発明によると、監視対象者の社交性を評価する際、他の監視対象者との距離と接触時間、及び接触した場所をより正確に記録することができる。
【００７７】
また、本発明によると、監視対象者が日常生活を行う上での危険度を、危険が予想される場所に留まる時間から検出し、顧客（クライアント）である監視者や保護者に通知することができる。
【００７８】
また、本発明では、監視対象者を識別するＩＤを、電源不要の小型の非接触パッシブタイプのＲＦタグに書き込んでおき、監視対象者の足の裏や、監視対象者が常時使用するスリッパや靴などの履物の裏に装着してもよい。被験者の足の裏に取り付けたＲＦタグは、複数のループコイルアンテナから供給される電力により通信を行うことができる。これにより、監視対象者が感じるストレスが低減され、メンテナンスがフリーとなる。よって、サービスを提供するプロバイダの設備投資効果を上げることができる。
【００７９】
また、特許文献２に記載のような関連技術においては、監視対象者に装着されたＲＦタグと通信するリーダライタは１対１であったが、本発明では複数のループコイルアンテナによって１つのブロックを構成し、各ブロックに対して１つのリーダライタを用意すればよい。このことにより、設備費用への投資効果が改善する。
【００８０】
また、アンテナ間干渉回避方法に関しては、発信状態でない時間帯のループコイルアンテナは、コイルの一部を切断してコイル特性を無くす対策をとる。この対策により、発信状態にあるアンテナから放出される磁界による他のアンテナへの誘導が無くなるため、発信状態にあるアンテナだけがＲＦタグを検出するようになり、検出位置の精度が向上し、また誤検出を回避できる。
【００８１】
また、本発明のようにアンテナコイルを排他的に接続／切断することにより、監視対象者間の距離の検出精度が向上する。例えば５０ｃｍ以内の距離を検出可能である。その結果、社交性を評価する際に距離で重み付けが設定できる。
【００８２】
また、リーダライタをブロック単位に１つとすることにより、アンテナの発信動作を時間分割で切り替えるためにリーダライタ間でスケジューリングする必要がない。すなわち、そのためのリーダライタ間の通信経路が不要となるため、設備費用が改善できる。
【００８３】
ループアンテナは、位置情報を持つ特長がある。被験者を移動体と考えた場合に通信記録から、時間と場所の情報や、時間と移動体間の距離の情報に変換可能となる。
【００８４】
また、本発明によると、移動体である被験者の行動する時間と場所の関係から、被験者の危険度や自立生活度をリアルタイムで検出できる。また、対象とする被験者と他の被験者、または対象とする被験者と介護者（又は保護者）との距離と時間の相関関係から、対象とする被験者の社交性をリアルタイムで判定することができる。
【００８５】
なお、上記のＲＦタグ検出装置及び監視システムは、ハードウェア、ソフトウェア又はこれらの組合わせにより実現することができる。また、上記のＲＦタグ検出装置の起動方法も、ハードウェア、ソフトウェア又はこれらの組合わせにより実現することができる。ここで、ソフトウェアによって実現されるとは、コンピュータがプログラムを読み込んで実行することにより実現されることを意味する。
【００８６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８７】
上記の実施形態の一部又は全部は、以下の付記のようにも記載されうるが、以下には限られない。
【００８８】
（付記１）
電磁誘導方式によりＲＦタグと通信を行う複数のループコイルアンテナと、
前記複数のループコイルアンテナのうちの１のループコイルアンテナを切り替えて選択するアンテナ切替手段と、
前記アンテナ切替手段により切り替えて選択されたループコイルアンテナがＲＦタグから受信した情報を基にＲＦタグの検出を行う検出手段と、
を備え、前記複数のループコイルアンテナの各々にコイル切断スイッチを設け、前記アンテナ切替手段により切り替えて選択されたループコイルアンテナのコイル切断スイッチを閉にし、それ以外の不使用のループコイルアンテナのコイル切断スイッチを開にした状態でＲＦタグの検出を行うことを特徴とするＲＦタグ検出装置。
【００８９】
（付記２）
前記アンテナ切替手段が前記複数のループコイルアンテナにおける所定の順番にて時分割で使用アンテナの切替を行う付記１に記載のＲＦタグ検出装置。
【００９０】
（付記３）
前記複数のループコイルアンテナの各々が送受信兼用で用いられる付記１又は２に記載のＲＦタグ検出装置。
【００９１】
（付記４）
前記複数のループコイルアンテナの各々が、送信用ループコイルアンテナと受信用ループコイルアンテナとを備える付記１又は２に記載のＲＦタグ検出装置。
【００９２】
（付記５）
検出対象者又は検出対象物に取り付ける前記ＲＦタグを１又は複数含む付記１乃至４のいずれか１に記載のＲＦタグ検出装置。
【００９３】
（付記６）
前記ＲＦタグがパッシブ型タグであり、前記複数のループコイルアンテナから給電される付記１乃至５のいずれか１に記載のＲＦタグ検出装置。
【００９４】
（付記７）
前記複数のループコイルアンテナが平面状に並べて配置されて検出ブロックを形成する付記１乃至６のいずれか１に記載のＲＦタグ検出装置。
【００９５】
（付記８）
付記７に記載のＲＦタグ検出装置を複数備え、それぞれの検出ブロックを平面状に並べて配置して検出ブロック群を形成し、各検出ブロックにおいて行われるアンテナ切替を前記検出ブロック群に含まれる検出ブロック間で同期させるＲＦタグ検出システム。
【００９６】
（付記９）
各検出ブロック内での使用ループコイルアンテナの相対位置が同一となるように、前記検出ブロック群に含まれる検出ブロック間で同期させてアンテナ切替を行う付記８に記載のＲＦタグ検出システム。
【００９７】
（付記１０）
ＲＦタグが取り付けられた監視対象者を監視する監視システムであって、
付記１乃至７のいずれか１に記載のＲＦタグ検出装置又は付記８若しくは９に記載のＲＦタグ検出システムと、
前記複数のループコイルアンテナが設置された場所情報を、前記複数のループコイルアンテナの識別情報に対応付けて記憶する場所情報記憶手段と、
ＲＦタグを検出したループコイルアンテナの識別情報から、前記場所情報記憶手段に記憶された対応する場所情報を取得し、検出した時間情報に紐付けて記録するログ記録手段と、
を備えた監視システム。
【００９８】
（付記１１）
監視対象者の危険度、社交性又は自立生活度を判定する基準パラメータを設定する基準パラメータ設定手段と、
前記基準パラメータ設定手段に設定された基準パラメータを参照して、前記ログ記録手段に記録された場所情報と時間情報に基づいて監視対象者の危険度、社交性又は自立生活度を推定する推定手段と、
を備えた付記１０に記載の監視システム。
【００９９】
（付記１２）
前記危険度の基準パラメータが、所定の場所に停留する時間の閾値を含み、前記推定手段は、監視対象者が前記所定の場所に前記閾値より長い間停留した場合に、前記所定の場所に対応付けられた危険指標を推定結果とする付記１１に記載の監視システム。
【０１００】
（付記１３）
前記社交性の基準パラメータが、他の監視対象者との距離の閾値を含み、前記推定手段は、監視者と他の監視者との距離が前記閾値より近くなった回数を他の監視対象者と接触を持った人数と判定し、人数に対応付けられた社交性指標を推定結果とする付記１１又は１２に記載の監視システム。
【０１０１】
（付記１４）
前記社交性の基準パラメータが、他の監視対象者と所定の距離内に停留した時間の閾値を含み、前記推定手段は、監視対象者が他の監視対象者と前記所定の距離内にて前記閾値より長い間停留した場合に、その停留時間に対応付けられた社交性指標を推定結果とする付記１１乃至１３のいずれか１に記載の監視システム。
【０１０２】
（付記１５）
前記自立生活度の基準パラメータが、所定の生活行動に対応付けられた指標を含み、前記推定手段は、監視対象者の位置情報と停留時間とから、前記所定の生活活動に該当するか否かを判定し、該当する場合にはその生活活動に対応付けられた指標を自立生活度の推定結果とする付記１１乃至１４のいずれか１に記載の監視システム。
【０１０３】
（付記１６）
前記所定の生活行動が、食事、排せつ、入浴、睡眠、移動又は被介護を含む付記１５に記載の監視システム。
【０１０４】
（付記１７）
複数のループコイルアンテナを備え、前記複数のループコイルアンテナの各々にコイル切断スイッチが設けられたＲＦタグ検出装置によるＲＦタグ検出方法であって、
前記複数のループコイルアンテナのうちの１のループコイルアンテナに切り替えて選択するアンテナ切替ステップと、
前記アンテナ切替ステップにより切り替えて選択されたループコイルアンテナのコイル切断スイッチを閉にし、それ以外の不使用のループコイルアンテナのコイル切断スイッチを開にする開閉ステップと、
切り替えて選択されたループコイルアンテナが電磁誘導方式によりＲＦタグから受信した情報に基づいてＲＦタグの検出を行う検出ステップと、
を含むＲＦタグ検出方法。
【０１０５】
（付記１８）
前記アンテナ切替ステップが前記複数のループコイルアンテナにおける所定の順番にて時分割で使用アンテナの切替を行う付記１７に記載のＲＦタグ検出方法。
【０１０６】
（付記１９）
前記複数のループコイルアンテナの各々が送受信兼用で用いられる付記１７又は１８に記載のＲＦタグ検出方法。
【０１０７】
（付記２０）
前記複数のループコイルアンテナの各々が、送信用ループコイルアンテナと受信用ループコイルアンテナとを備える付記１７又は１８に記載のＲＦタグ検出方法。
【０１０８】
（付記２１）
更に、１若しくは複数の検出対象者又は１若しくは複数の検出対象物に前記ＲＦタグを取り付けるステップを含む付記１７乃至２０のいずれか１に記載のＲＦタグ検出方法。
【０１０９】
（付記２２）
前記ＲＦタグがパッシブ型タグであり、前記複数のループコイルアンテナから給電される付記１７乃至２１のいずれか１に記載のＲＦタグ検出方法。
【０１１０】
（付記２３）
前記複数のループコイルアンテナが平面状に並べて配置されて検出ブロックを形成する付記１７乃至２２のいずれか１に記載のＲＦタグ検出方法。
【０１１１】
（付記２４）
前記ＲＦタグ検出装置を複数備え、それぞれの検出ブロックを平面状に並べて配置して形成された検出ブロック群において、各検出ブロックにて行われるアンテナ切替を前記検出ブロック群に含まれる検出ブロック間で同期させることを特徴とする付記２３に記載のＲＦタグ検出方法。
【０１１２】
（付記２５）
各検出ブロック内での使用ループコイルアンテナの相対位置が同一となるように、前記検出ブロック群に含まれる検出ブロック間で同期させてアンテナ切替を行う付記２４に記載のＲＦタグ検出方法。
【０１１３】
（付記２６）
付記１７乃至２５のいずれか１に記載のＲＦタグ検出方法を用いて、ＲＦタグが取り付けられた監視対象者を監視する監視方法であって、
前記複数のループコイルアンテナが設置された場所情報を、前記複数のループコイルアンテナの識別情報に対応付けて記憶する場所情報記憶ステップと、
ＲＦタグを検出したループコイルアンテナの識別情報から、前記場所情報記憶ステップにより記憶された対応する場所情報を取得し、検出した時間情報に紐付けて記録するログ記録ステップと、
を含む監視方法。
【０１１４】
（付記２７）
監視対象者の危険度、社交性又は自立生活度を判定する基準パラメータを設定する基準パラメータ設定ステップと、
前記基準パラメータ設定ステップにより設定された基準パラメータを参照して、前記ログ記録ステップにより記録された場所情報と時間情報に基づいて監視対象者の危険度、社交性又は自立生活度を推定する推定ステップと、
を含む付記２６に記載の監視方法。
【０１１５】
（付記２８）
前記危険度の基準パラメータが、所定の場所に停留する時間の閾値を含み、前記推定ステップは、監視対象者が前記所定の場所に前記閾値より長い間停留した場合に、前記所定の場所に対応付けられた危険指標を推定結果とする付記２７に記載の監視方法。
【０１１６】
（付記２９）
前記社交性の基準パラメータが、他の監視対象者との距離の閾値を含み、前記推定ステップは、監視者と他の監視者との距離が前記閾値より近くなった回数を他の監視対象者と接触を持った人数と判定し、人数に対応付けられた社交性指標を推定結果とする付記２７又は２８に記載の監視方法。
【０１１７】
（付記３０）
前記社交性の基準パラメータが、他の監視対象者と所定の距離内に停留した時間の閾値を含み、前記推定ステップは、監視者が他の監視者と前記所定の距離内にて前記閾値より長い間停留した場合に、その停留時間に対応付けられた社交性指標を推定結果とする付記２７乃至２９のいずれか１に記載の監視方法。
【０１１８】
（付記３１）
前記自立生活度の基準パラメータが、所定の生活行動に対応付けられた指標を含み、前記推定手段は、監視対象者の位置情報と停留時間とから、前記所定の生活活動に該当するか否かを判定し、該当する場合にはその生活活動に対応付けられた指標を自立生活度の推定結果とする付記２７乃至３０のいずれか１に記載の監視方法。
【０１１９】
（付記３２）
前記所定の生活行動が、食事、排せつ、入浴、睡眠、移動又は被介護を含む付記３１に記載の監視方法。
【０１２０】
（付記３３）
複数のループコイルアンテナを備え、前記複数のループコイルアンテナの各々にコイル切断スイッチが設けられたＲＦタグ検出装置によるＲＦタグ検出プログラムであって、
コンピュータに
前記複数のループコイルアンテナのうちの１のループコイルアンテナに切り替えて選択するアンテナ切替機能と、
前記アンテナ切替機能により切り替えて選択されたループコイルアンテナのコイル切断スイッチを閉にし、それ以外の不使用のループコイルアンテナのコイル切断スイッチを開にする開閉機能と、
切り替えて選択されたループコイルアンテナが電磁誘導方式によりＲＦタグから受信した情報に基づいてＲＦタグの検出を行う検出機能と、
を実現させるＲＦタグ検出プログラム。
【０１２１】
（付記３４）
前記アンテナ切替機能が前記複数のループコイルアンテナにおける所定の順番にて時分割で使用アンテナの切替を行う付記３３に記載のＲＦタグ検出プログラム。
【０１２２】
（付記３５）
前記複数のループコイルアンテナの各々が送受信兼用で用いられる付記３３又は３４に記載のＲＦタグ検出プログラム。
【０１２３】
（付記３６）
前記複数のループコイルアンテナの各々が、送信用ループコイルアンテナと受信用ループコイルアンテナとを備える付記３３又は３４に記載のＲＦタグ検出プログラム。
【０１２４】
（付記３７）
更に、１若しくは複数の検出対象者又は１若しくは複数の検出対象物に前記ＲＦタグを取り付けるステップを含む付記３３乃至３６のいずれか１に記載のＲＦタグ検出プログラム。
【０１２５】
（付記３８）
前記ＲＦタグがパッシブ型タグであり、前記複数のループコイルアンテナから給電される３３乃至３７のいずれか１に記載のＲＦタグ検出プログラム。
【０１２６】
（付記３９）
前記複数のループコイルアンテナが平面状に並べて配置されて検出ブロックを形成する３３乃至３８のいずれか１に記載のＲＦタグ検出プログラム。
【０１２７】
（付記４０）
前記ＲＦタグ検出装置を複数備え、それぞれの検出ブロックを平面状に並べて配置して形成された検出ブロック群において、各検出ブロックにて行われるアンテナ切替を前記検出ブロック群に含まれる検出ブロック間で同期させることを特徴とする付記３９に記載のＲＦタグ検出プログラム。
【０１２８】
（付記４１）
各検出ブロック内での使用ループコイルアンテナの相対位置が同一となるように、前記検出ブロック群に含まれる検出ブロック間で同期させてアンテナ切替を行う付記４０に記載のＲＦタグ検出プログラム。
【０１２９】
（付記４２）
付記３３乃至４１のいずれか１に記載のＲＦタグ検出プログラムを用いて、ＲＦタグが取り付けられた監視対象者を監視する監視プログラムであって、
前記コンピュータに、更に
前記複数のループコイルアンテナが設置された場所情報を、前記複数のループコイルアンテナの識別情報に対応付けて記憶する場所情報記憶機能と、
ＲＦタグを検出したループコイルアンテナの識別情報から、前記場所情報記憶ステップにより記憶された対応する場所情報を取得し、検出した時間情報に紐付けて記録するログ記録機能と、
を実現させる監視プログラム。
【０１３０】
（付記４３）
監視対象者の危険度、社交性又は自立生活度を判定する基準パラメータを設定する基準パラメータ設定機能と、
前記基準パラメータ設定機能により設定された基準パラメータを参照して、前記ログ記録機能により記録された場所情報と時間情報に基づいて監視対象者の危険度、社交性又は自立生活度を推定する推定機能と、
を更に実現させる付記４２に記載の監視プログラム。
【０１３１】
（付記４４）
前記危険度の基準パラメータが、所定の場所に停留する時間の閾値を含み、前記推定機能は、監視対象者が前記所定の場所に前記閾値より長い間停留した場合に、前記所定の場所に対応付けられた危険指標を推定結果とする付記４３に記載の監視プログラム。
【０１３２】
（付記４５）
前記社交性の基準パラメータが、他の監視対象者との距離の閾値を含み、前記推定ステップは、監視者と他の監視者との距離が前記閾値より近くなった回数を他の監視対象者と接触を持った人数と判定し、人数に対応付けられた社交性指標を推定結果とする付記４３又は４４に記載の監視プログラム。
【０１３３】
（付記４６）
前記社交性の基準パラメータが、他の監視対象者と所定の距離内に停留した時間の閾値を含み、前記推定ステップは、監視者が他の監視者と前記所定の距離内にて前記閾値より長い間停留した場合に、その停留時間に対応付けられた社交性指標を推定結果とする付記４３乃至４５のいずれか１に記載の監視プログラム。
【０１３４】
（付記４７）
前記自立生活度の基準パラメータが、所定の生活行動に対応付けられた指標を含み、前記推定手段は、監視対象者の位置情報と停留時間とから、前記所定の生活活動に該当するか否かを判定し、該当する場合にはその生活活動に対応付けられた指標を自立生活度の推定結果とする付記４３乃至４６のいずれか１に記載の監視プログラム。
【０１３５】
（付記４８）
前記所定の生活行動が、食事、排せつ、入浴、睡眠、移動又は被介護を含む付記４７に記載の監視プログラム。
【０１３６】
（付記４９）
付記１乃至７のいずれか１に記載のＲＦタグ検出装置又は付記８若しくは９に記載のＲＦタグ検出システムを備え、ＲＦタグ検出装置を用いて、ＲＦタグを装着した被験者の位置する場所と時間を特定し、特定した場所と時間の情報から所定の判定基準に基づいて被験者の自立生活度又は危険度を検出する監視システム。
【０１３７】
（付記５０）
付記１７乃至２５のいずれか１に記載のＲＦタグ検出方法を用いて、ＲＦタグを装着した被験者の位置する場所と時間を特定し、特定した場所と時間の情報から所定の判定基準に基づいて被験者の自立生活度又は危険度を検出する監視方法。
【０１３８】
（付記５１）
コンピュータに、付記３３乃至４１のいずれか１に記載のＲＦタグ検出プログラムを実行させると共に、ＲＦタグを装着した被験者の位置する場所と時間を特定し、特定した場所と時間の情報から所定の判定基準に基づいて被験者の自立生活度又は危険度を検出する機能を実現させる監視プログラム。
【０１３９】
（付記５２）
付記１乃至７のいずれか１に記載のＲＦタグ検出装置又は付記８若しくは９に記載のＲＦタグ検出システムを備え、ＲＦタグ検出装置を用いて、ＲＦタグを装着した被験者のうち対象の被験者とそれ以外の各被験者との距離及び時間の情報を取得し、取得した距離と時間の情報から所定の判定基準に基づいて対象被験者の社交性を判定する監視システム。
【０１４０】
（付記５３）
付記１７乃至２５のいずれか１に記載のＲＦタグ検出方法を用いて、ＲＦタグを装着した被験者のうち対象の被験者とそれ以外の各被験者との距離及び時間の情報を取得し、取得した距離と時間の情報から所定の判定基準に基づいて対象被験者の社交性を判定する監視方法。
【０１４１】
（付記５４）
コンピュータに、付記３３乃至４１のいずれか１に記載のＲＦタグ検出プログラムを実行させると共に、ＲＦタグを装着した被験者のうち対象の被験者とそれ以外の各被験者との距離及び時間の情報を取得し、取得した距離と時間の情報から所定の判定基準に基づいて対象被験者の社交性を判定する機能を実現させる監視プログラム。
【産業上の利用可能性】
【０１４２】
監視対象者が身障者、高齢者の場となる老人ホーム、病院および、一般的に保護者が遠隔の高齢者の安否確認を行う場合に利用可能である。
【符号の説明】
【０１４３】
１０    ＲＦタグ
１４    発信動作状態のループコイルアンテナが放出する磁界
１８    アンテナ干渉によって発生した磁界
２０    ループコイルアンテナ
２２    フロアマット表面繊維
２４    磁性シート
２６    フロアマット裏面繊維
３０    アンテナ切替スイッチ
４０    コントローラ（リーダライタ）
５０    コイル切断スイッチ
６０、６２、６４、７０    検出対象者
１００  ＲＦタグ検出装置
１１０  アンテナ切替制御部
１２０  コイル切断制御部
１３０  発信器／受信器
１４０  コントローラ制御部
１５０  ＲＦタグ検出部
１６０  記憶部
１７０  通信部
２００  検出セル
３００  検出ブロック
４００  フロアマット
５００  監視システム
５１０  タイムログ保存部
５２０  ロケーションデータ管理部
５３０  パラメータ設定部
５４０  データ処理部
５５０  プロバイダの端末
５６０  プロバイダ（サービス提供者）
５７０  クライアント（監視者／保護者）
５８０  クライアントの端末
６００  評価システム
【図１】
2014078211.tif 000003
【図２】
2014078211.tif 000004
【図３】
2014078211.tif 000005
【図４】
2014078211.tif 000006
【図５】
2014078211.tif 000007
【図６】
2014078211.tif 000008
【図７】
2014078211.tif 000009
【図１０】
2014078211.tif 000010
【図１１】
2014078211.tif 000011
【図１２】
2014078211.tif 000012
【図１３】
2014078211.tif 000013
【図１４】
2014078211.tif 000014
【図１５】
2014078211.tif 000015
【図１６】
2014078211.tif 000016
【図１７】
2014078211.tif 000017
【図１９】
2014078211.tif 000018
【図２０】
2014078211.tif 000019
【図２２】
2014078211.tif 000020
【図２３】
2014078211.tif 000021
【図２４】
2014078211.tif 000022
【図８】
2014078211.tif 000023
【図９】
2014078211.tif 000024
【図１８】
2014078211.tif 000025
【図２１】
2014078211.tif 000026